(57)【要約】      （修正有）【課題】狭い店舗でも余裕を持たせて設備でき、飲食物を載せて搬送する受台が常に水平姿勢を保つようにし、必要に応じて搬送路の復路を通過する飲食物を冷やしたり、温めたりすることができるようにして、顧客に美味しい飲食物を提供できるようにする。【解決手段】上段４Ｕ及び下段４Ｄに並列した位置関係で回転移動して飲食物を搬送する搬送路４と、該搬送路４を最適な速度で回転移動させる駆動装置とを備え、受台２は、水平姿勢を保つ錘を下方に突出させた枠材とによって構成され、受台２の全体又は該受台２の一部を構成する板材が取り外し自在に構成され、搬送路４の上段４Ｕ及び下段４Ｄのうちの少なくとも上段４Ｕに沿った個所には、受台２の搬送方向に沿った両縁のうちの少なくとも片側縁を上方からガイドするガイド部材が開閉可能に支持されており、下段４Ｕの搬送路４に搬送された飲食物は、所望により搬送過程で冷却又は加熱されるようにした。【選択図】図１
2005103218.tif 000002
【特許請求の範囲】
【請求項１】
上段及び下段に並列した位置関係で直線方向へ回転移動して飲食物を搬送する搬送路と、搬送路を最適な速度で回転移動させる駆動装置とが備えられ、搬送路が、搬送方向両端に設けられた無端チェーンにより該チェーン間に支持され、かつ搬送方向に並設した多数の受台にて構成された循環型飲食物搬送装置であって、
前記受台は、水平姿勢を保つ錘を下方に突出させた枠材と、該枠材の上部に嵌め込んで着脱自在に設置した受板とによって構成され、受台の全体又は該受台の一部を構成する板材が取り外し自在に構成されていることを特徴とする循環型飲食物搬送装置。
【請求項２】
搬送路の上段及び下段のうちの少なくとも上段に沿った個所には、受台の搬送方向に沿った両縁のうちの少なくとも片側縁を上方からガイドするガイド部材が開閉可能に支持されている請求項１に記載の循環型飲食物搬送装置。
【請求項３】
下段に位置する搬送路は、冷却装置により冷却可能な保冷ケース内を通過するように構成されていることを特徴とする請求項１又は２に記載の循環型飲食物搬送装置。
【請求項４】
下段に位置する搬送路は、加熱装置又は温風発生装置により加熱可能な加熱ケース又は保温可能な保温ケース内を通過するように構成されている請求項１又は２に記載の循環型飲食物搬送装置。
【請求項５】
下段に位置する搬送路は、保湿装置による一定の湿度と殺菌装置により減菌処理された保湿ケース内を通過するように構成されている請求項１又は２に記載の循環型飲食物搬送装置。
【請求項６】
請求項３に記載の保冷ケースと、請求項４に記載の加熱ケース又は保温ケースと、請求項５に記載の保湿ケースのうちの選択した複数が一体構成されて、温度スイッチの切り換えにより、保冷と加熱又は保温と保湿のうちの選択した複数の機能が切り換えできるように構成されている循環型飲食物搬送装置。
【請求項７】
搬送路に沿った両側に顧客用のカウンタテーブルが並設されている若しくは並設可能な構成を持つ請求項１ないし５の何れが１項に記載の循環型飲食物搬送装置。
【発明の詳細な説明】
【技術分野】
【０００１】  本発明は、例えば、寿司店、焼肉店、食堂、ケーキ店などにおいてカウンタテーブルに並列して設置したり、壁面に沿わせて設置できる循環型飲食物搬送装置に関する。
【背景技術】
【０００２】  最近の寿司店には、いわゆる回転寿司店と呼ばれる循環型飲食物搬送装置を設置した大衆店が、好みの寿司を目で見ながら即座に手に取ることができ、価格も比較的低価格で明瞭なことから、都市では多く見受けられる。この循環型飲食物搬送装置は、多数枚の皿台を搬送方向に連続させてモータの駆動力を利用して搬送し、この皿台の上に皿などの容器に入れられた寿司などの飲食物が多数並ぶようにして置かれる。従来技術によるこの種の循環型飲食物搬送装置としては、例えば、特開２００３−６３６２４号公報に記載の循環商品管理システム、特開２００１−１７８６１０号公報に記載の循環型飲食物搬送装置、実開昭６３−７５２７８号公報に記載の保冷式物品回転位相装置、などが公知である。【０００３】  特開２００３−６３６２４号公報に記載の循環商品管理システムでは、同公報に添付の図１によれば、皿台は、平面視楕円方向に搬送されるように、搬送路が平面視楕円形状に描かれている。そして、同公報の添付図の図１によれば、顧客用のテーブル１０が搬送路であるベルトコンベア１の外周に沿って設置されている。【０００４】  実開昭６３−７５２７８号公報に記載の保冷式物品回転位相装置は、同公報に記載の「実用新案登録請求の範囲」によれば、上下に並列した位置関係で直線方向へ回転移動して物品を移送する移送装置１〜４と、移送装置１〜４を回転移動させるための駆動装置１２〜１５と、移送装置１〜４の回りを包被して冷却空間を画定する保冷ケース５，６と、保冷ケース５，６内を冷蔵するための冷却装置２２と、冷却装置２２により冷却された空気を保冷ケース５，６内に送り込むための空気送風装置２３，２４とから構成される、と記載されている。そして、同公報に添付の図３の記載には、受台４の左右中央部分がチェーンベルトにピンで揺動可能に支持され、受台４の水平姿勢を維持させるために受台４の左右中央位置から下方に向けて錘になる細板材１７，１７を突出させ、この細板材１７，１７の下端間には錘になる棒材１７ａが支持されていることが解る。【０００５】
【特許文献１】特開２００３−６３６２４号公報
【特許文献２】実開昭６３−７５２７８号公報
【発明の開示】
【発明が解決しようとする課題】
【０００６】  しかしながら、特開２００３−６３６２４号公報に記載の循環商品管理システムによれば、搬送路が平面視略楕円形状を有し、その外周側に顧客用のテーブル１が位置しているため、寿司を作ったり寿司を搬送路に載せる従業員が、搬送路の内側に位置することになる。この結果、従業員の作業が顧客からよく見え、とくに多くの回転寿司店では寿司職人を置かずに機械で寿司を握る場合が多く、この様子などが顧客から見えると好ましくないことがある。また、搬送路がこのように平面視楕円形状になっていると、従業員が搬送路の外側に出難く不都合が多い。【０００７】  この点、実開昭６３−７５２７８号公報に記載の保冷式物品回転位相装置は、搬送路が上下に並列した位置関係で直線方向へ回転移動するようになっているため、上述した問題が生じることがなく、しかも、店舗スペースに余裕がない場合や、店舗スペースを有効に生かした設計ができる。
しかしながら、この保冷式物品回転位相装置は、搬送路に沿った片側から飲食物を取り出す構造になっているため、この装置を店の壁面に沿わせて設置する場合には店のスペースを有効に利用できるが、この装置を店の中央に突き出して設置すると、搬送路に沿った片側に無駄が生じる。
また、この装置によれば、受台４は棒材１７ａの重量によって水平姿勢は保たれているが、飲食物などの物品を入れている皿が軽量なプラスチック製のものであれば問題は無いが、この皿が比較的重量のある陶器やステンレスなどの金属で出来ていたり、飲食物の量が多い場合には、受台４の偏った個所に飲食物が置かれると、この皿の重量や飲食物の重量によって水平に保っていた受台４の姿勢が傾き易くなり、この結果、顧客に対する見た目が悪くなり、とくに、皿台が濡れていると飲食物が滑り落ち易くなる。
また、顧客が飲食物を手に取るときに、受台４を傾けてしまうこともある。
また、受台４を支持しているチェーンが前後のスプロケットで支持されており、しかも受台４の振れ止めが受台４の重心により行なっているため、受台４が振れながらチェーン搬送され易く、顧客の目が疲れ易くなる。【０００８】  本発明は、搬送路が１直線方向に延びて、上段から下段に至り、更に上段に至る搬送路を実現することにより、また、飲食物を載せて搬送する受台の振れ止めを確実にできるようにすることにより上述した問題点を解消することにある９
【課題を解決するための手段】
【０００９】  以上、説明した課題を解決するための手段として挙げられる本発明の請求項１に記載の循環型飲食物搬送装置は、上段及び下段に並列した位置関係で直線方向へ回転移動して飲食物を搬送する搬送路と、搬送路を最適な速度で回転移動させる駆動装置とが備えられ、搬送路が、搬送方向両端に設けられた無端チェーンにより該チェーン間に支持され、かつ搬送方向に並設した多数の受台にて構成された循環型飲食物搬送装置であって、
前記受台は、水平姿勢を保つ錘を下方に突出させた枠材と、該枠材の上部に嵌め込んで着脱自在に設置した受板とによって構成され、受台の全体又は受台の一部を構成する板材が取り外し自在に構成されていることを特徴とする。【００１０】  本発明の循環型飲食物搬送装置は、例えば、回転寿司店、焼肉店、食堂、ケーキ店などの飲食店の他、惣菜など食材の鮮度を重要視する食材の販売店などに設備される。
本発明の循環型飲食物搬送装置は、搬送路が１直線方向に延びており、しかも復路の搬送路が往路の搬送路の下方に位置しているため、たとえ狭い店舗でも余裕を持たせて設備できる。搬送路のうち、顧客は上段の往路の受台に置かれた飲食物を自由に手に取ることができ、顧客が手に取らなかった飲食物は、往路の終端から下方に搬送され、さらに向きを変えて下段の往路に搬送され、さらに上方に向きを変えて、再び往路に戻る。顧客が飲食物を手に取ることによって空いた受台には、従業員によって次の飲食物が置かれる。
このように、飲食物を直線方向に搬送すると、顧客が手に取らなかった飲食物が顧客の目に触れながら戻って行く様子が見えないため、顧客には常に新鮮な飲食物が送られている印象を与える。また、室内の空気に直接触れる機会が少ないため、衛生的である。従業員は往路の始端となる位置で、受台ごとに飲食物を置き、飲食店の場合では、顧客は搬送路に沿って設けられているカウンタテーブルに飲食物を置いて食事できるようになっている。本発明の循環型飲食物搬送装置の長さは、限定されるものではないが、少なくとも搬送路に沿ったカウンタテーブルで複数の顧客が食事でき、さらに好ましくは、従業員が飲食物を置く様子が見えないように、その一端側を店の壁に開けた開口から隣りの調理室内に届く長さにする。
また、本発明の循環型飲食物搬送装置では、枠材の上部に受板が着脱自在に設置されて受台が形成されているため、この受板を取り外して装置内部の掃除が楽にできるようになっている。【００１１】  本発明の循環型飲食物搬送装置における駆動装置において、無端チェーンの駆動はモータで行なわれ、無端チェーンの速度を飲食物の搬送速度に適した低速に抑えるため、モータには減速装置が接続され、或いは、低速モータ、減速モータが用いられている。【００１２】  さらに本発明の請求項２に記載の循環型飲食物搬送装置では、搬送路の上段及び下段のうちの少なくとも上段に沿った個所には、受台の搬送方向に沿った両縁のうちの少なくとも片側縁を上方からガイドするガイド部材が開閉可能に支持されているため、受台の水平姿勢を保つ錘では不十分な偏荷重が受台に加わった場合でも、受台の水平姿勢は保たれる。【００１３】  また、本発明の請求項３に記載の循環型飲食物搬送装置では、上記何れかの構成において、下段に位置する搬送路は、冷却装置により冷却可能な保冷ケース内を通過するように構成されているため、往路である上段の搬送路に置いてある飲食物を顧客が手に取らなかった場合でも、復路の保冷ケース内を通って再び往路に戻るため、飲食物が室内の温度に触れて生温くなるのが防ぐことができ、雑菌が繁殖し易い環境を作らない。また、顧客に冷たく美味しい飲食物を提供できる。このため、請求項３に記載の循環型飲食物搬送装置は、例えば、回転寿司店、焼肉店などには最適である。【００１４】また、本発明の請求項４に記載の循環型飲食物搬送装置では、請求項１又は２に記載の構成において、下段に位置する搬送路は、加熱装置又は温風発生装置により加熱可能な加熱ケース又は保温可能な保温ケース内を通過するように構成されているため、往路である上段の搬送路に置いてある飲食物を顧客が手に取らなかった場合でも、復路の加熱ケースや保温ケース内を通って再び往路に戻るため、飲食物を常に暖かい状態で顧客に提供できる。このため、請求項４に記載の循環型飲食物搬送装置は、例えば、暖かい飲食物を提供する飲食店、弁当店、惣菜店、肉饅頭店などには最適である。【００１５】  また、本発明の請求項５に記載の循環型飲食物搬送装置では、請求項１又は２に記載の構成において、下段に位置する搬送路は、保湿装置による一定の湿度と殺菌装置により減菌処理された保湿ケース内を通過するように構成されているため、例えば、回転寿司店、焼肉店などには更に最適である。【００１６】  また、本発明の請求項６に記載の循環型飲食物搬送装置では、請求項１又は２に記載の構成において、請求項３に記載の保冷ケースと、請求項４に記載の加熱ケース又は保温ケースと、請求項５に記載の保湿ケースのうちの選択した複数が一体構成されて、温度スイッチの切り換えにより、保冷と加熱又は保温と保湿のうちの選択した複数の機能が切り換えできるように構成されているため、季節によって飲食物を温めたり、或いは冷やして顧客に提供する店には最適である。また、保冷を殺菌を兼ねたケース内に搬送路の復路を通すようにしてもよい。この他にも、搬送路の下段が往路に、上段が復路になるように、搬送路の回転方向を逆にしてもよい。
また、上記の各種のケースの天板を、上段の搬送路を構成している受台で構成してもよい。このようにすると、上段の受台には、その下方の冷気又は温気などが上がってきて、上段の受台の置かれている飲食物が、生温かくなったりするのを更に防ぐことができる。【００１７】また、本発明の請求項７に記載の循環型飲食物搬送装置では、上記の何れかの請求項に記載の構成において、搬送路に沿った両側に顧客用のカウンタテーブルが並設されている若しくは並設可能な構成を持っているため、顧客は、１本の搬送路の両側に設置したカウンタテーブル越しに、搬送路の両側から飲食物を手に取ることができるようになる。このため、たとえ狭い店舗であっても、その室内スペースを効率良く活用でき、顧客に狭い感じを与えない。
【発明の効果】
【００１８】  本発明を以上の構成とした結果、本発明の循環型飲食物搬送装置は、搬送路が１直線方向に延びており、しかも復路の搬送路が往路の搬送路の下方に位置しているため、たとえ狭い店舗でも余裕を持たせて設備でき、更に、飲食物を載せて搬送する受台が常に水平姿勢を保つようになっているため、顧客の前を通過する飲食物は、振れることなく安定した姿勢で搬送される。このため、顧客に良い印象を与える。また必要に応じて搬送路の復路を通過する飲食物を冷やしたり、温めたりすることができるので、顧客に美味しい飲食物を提供することができる。
【発明を実施するための最良の形態】
【００１９】  本発明を実施するための最良の形態は、上段及び下段に並列した位置関係で直線方向へ回転移動して飲食物を搬送する搬送路と、搬送路を最適な速度で回転移動させる駆動装置とが備えられ、搬送路が、搬送方向両端に設けられた無端チェーンにより該チェーン間に支持され、かつ搬送方向に並設した多数の受台にて構成された循環型飲食物搬送装置であって、前記受台は、水平姿勢を保つ錘を下方に突出させた枠材と、該枠材の上部に嵌め込んで着脱自在に設置した受板とによって構成され、受台の全体又は該受台の一部を構成する板材が取り外し自在に構成され、搬送路の上段及び下段のうちの少なくとも上段に沿った個所には、受台の搬送方向に沿った両縁のうちの少なくとも片側縁を上方からガイドするガイド部材が開閉可能に支持されており、下段の搬送路に搬送された飲食物は、所望により搬送過程で冷却又は温熱されるようになっている構成である。
【実施例１】
【００２０】  図１は本発明の実施例１による循環型飲食物搬送装置１の設置例を側面図で示し、図２は同じく平面図で示し、図３は同じく正面図で示し、図４は同じく内部構造を側面図で示している。
これら各図に示すように、実施例１による循環型飲食物搬送装置１は、飲食店の店内５０から調理室５１内に向けて設置されており、店内５０と調理室５１とを仕切る壁５２の循環型飲食物搬送装置１上方個所は、飲食物を通過させる窓５３が設けられている。【００２１】  この循環型飲食物搬送装置１は、上面中央に多数の受台２が長手方向に並んで配設された状態が露見しており、各受台２が無端チェーン３Ｌ，３Ｒに支持されて、上段及び下段に並列した位置関係で直線方向へ回転移動して飲食物Ｆを搬送する搬送路４を構成している。そして、各受台２の左右両端に沿った近接上方個所にカバー材３Ｌ，３Ｒが設けられ、本装置１の周囲は側壁６で覆われており、側壁６に沿った個所には顧客用のカウンタテーブル５が設けられている。この循環型飲食物搬送装置１の長さは店舗スペースやその奥行きなどに対応して自由に設計できるようになっているが、複数の長さを有する規格サイズに設計してもよい。本実施例１では、受台２上の左右面部分に飲食物Ｆを振り分けて置くことができるように、受台２は左右方向（図２によると上下に見える方向）に比較的長い形状になっているものが用いられているが、受台２の左右方向を更に幅狭く形成して、１つの受台２の左右方向に１つの飲食物Ｆを置くことができるようにしてもよい。【００２２】  受台２は、無端チェーン３Ｌ，３Ｒにより低速で搬送され、その駆動はモータ７で行なわれる。飲食物Ｆは、調理室５１内において上段の搬送路４Ｕとなる各受台２に上に置かれ、この飲食物Ｆが店内５０内に向けてゆっくりと流れる。そして、顧客が手に取らなかった飲食物Ｆはこの搬送装置１の先端近傍個所から、下方に搬送に搬送されて下段の搬送路４Ｄに向かい、更に上方に搬送されて再び上段の搬送路４Ｕに向かう。【００２３】  続いて本発明の実施例１の循環型飲食物搬送装置１における各部の構造を詳述する。
図５は本発明の実施例１における循環型飲食物搬送装置１の手前側端部の内部構造を平面図で示し、図６は同じくその内部構造を拡大正面図で示し、図７は図６におけるＡ−Ａ断面図であり、図８は実施例１における循環型飲食物搬送装置１の先端側端部の内部構造を側面図で示し、図９は実施例１における循環型飲食物搬送装置１の途中部分の内部構造を正面断面図で示している。【００２４】  図４〜図９に示すように、飲食物Ｆを載せる受台２は無端チェーン３Ｌ，３Ｒの一定間隔を設けた部分にピン支持されており、各受台２どうしの間隔は接近させてある。ピン支持構造の詳細は後述する。
そして、図４、図５、図８に示すように、無端チェーン３Ｌ，３Ｒは、チェーンスプロケット８Ｌ，８Ｒ，９Ｌ，９Ｒ，１０Ｌ，１０Ｒ，１１Ｌ，１１Ｒによって上段及び下段に並列した位置関係で直線方向へ回転移動するように懸架されており、これらチェーンスプロケット８Ｌ，８Ｒ，９Ｌ，９Ｒ，１０Ｌ，１０Ｒ，１１Ｌ，１１Ｒは左右の側板１３Ｌ，１３Ｒに軸支され、かつ左右の側板１３Ｌ，１３Ｒに支持された左右のガイド棒１４Ｌ，１４Ｒによって無端チェーン３Ｌ，３Ｒの上段に位置する部分が下方に撓まないように下方から支持されている。【００２５】  そして、図５〜図７に示すように、本装置１の手前側に位置する下方側のチェーンスプロケット９Ｌ，９Ｒを支持している軸１５の一端は側板１３Ｌの外側に突出し、その端部には駆動力を得るためのチェーンスプロケット１６が取り付けられている。そして、その下方に設置されているモータ７の駆動軸と減速装置１７の入力軸とが連結され、減速装置１７の出力軸に装着されているチェーンスプロケット１８と前記チェーンスプロケット１６とがチェーン１９で連結されて、左右の無端チェーン３Ｌ，３Ｒがモータ７の駆動力を得て低速駆動するように構成されている。【００２６】  図１０は受台２とその支持構造を示した側面断面図であり、図１１は同じくその分解斜視図である。これら各図に示すように、受台２は平面視矩形の受枠２０と受板２１とが組み合わされて構成され、受枠２０の内側には低段部２０ａが形成され、この低段部２０ａ内に受板２１が嵌まり込んで支持されるようになっている。そして、受枠２０の左右部分の中央から下方に向けて受枠２０の重心を安定させる錘２０ｂを突出させている。そして、受枠２０の左右部分の中央より僅かながら下方個所から外方向に向けてピン２０ｃ，２０ｃを突出させ、このピン２０ｃ，２０ｃの先端部分を、開孔が形成されたチェーン部３０ａ，３０ａに回転自在に支持させてある。そして、受台２が無端チェーン３Ｌ（３Ｒ）に接近する方向に移動しないように、ピン２０ｃ，２０ｃに環体３１，３１よりなるスペーサが嵌装されている。このため、無端チェーン３Ｌ（３Ｒ）間に懸架された受台２は、錘２０ｂによって水平姿勢が維持されている。【００２７】  ところで、受台２上に飲食物Ｆを置いて搬送すると、飲食物Ｆの置かれた位置によって偏荷重が加わり、受台２の水平姿勢が不安定になることがある。このため、本実施例では、図１２に示すように、無端チェーン３Ｌ，３Ｒを上方からカバーしているカバー板２５Ｌ，２５Ｒの先端を受台２の左右端上方にまで延出させてあり、このカバー板２５Ｌ，２５Ｒの先端に沿った下面に、滑り性に優れたガイド部材２６Ｌ，２６Ｒが装着されている。このガイド部材２６Ｌ，２６Ｒとしては、ポリアセタール樹脂製の細長い角棒が最適である。このように構成すると、受枠２がピン２３Ｌ，２３Ｒを支点として、その前後端が上下に振れる力が加わっても、受台２がガイド部材２６Ｌ，２６Ｒに当って振れが抑えられる。なお、受板２１を取り外して受台２の下方を掃除することができるように、カバー板２５Ｌ，２５Ｒは、上方に回動させることができるように蝶番などの連結部材で片支持されている。【００２８】  そして���図４及び図９に示すように、下段の搬送路４Ｄは、角筒形状のケース２７で覆われて、このケース２７内にスイッチの切り換えにより冷風と温風のいずれかを送り込んで、下段の搬送路４Ｄ内を通過する飲食物Ｆを冷やしたり、或いは温めたりすることができるように構成されている。２８はこのため送風孔が多数形成された配管であり、この配管２８の基部は、図示しない冷却装置又は温熱装置に接続される。
【産業上の利用可能性】
【００２９】  本発明の循環型飲食物搬送装置は、搬送路が１直線方向に延びており、しかも復路の搬送路が往路の搬送路の下方に位置しているため、たとえ狭い店舗でも余裕を持たせて設備でき、更に、飲食物を載せて搬送する受台が常に水平姿勢を保つようになっているため、顧客の前を通過する飲食物は、振れることなく安定した姿勢で搬送される。このため、顧客に良い印象を与える。また必要に応じて搬送路の復路を通過する飲食物を冷やしたり、温めたりすることができるので、顧客に美味しい飲食物を提供することができる。
この結果、従来では比較的狭い店舗スペースでは難しかった回転式の飲食物搬送装置の設置を可能にすることができ、また、本装置の数組設置するなど、店舗設計が自由にできるため、回転寿司店、焼肉店、食堂、惣菜店などで新規需要が大幅に見込まれる。
【図面の簡単な説明】
【００３０】
【図１】本発明の実施例１による循環型飲食物搬送装置の設置例を示した側面図である。
【図２】同じく平面図である。
【図３】同じく正面図である。
【図４】同じく内部構造を示した側面図である。
【図５】本発明の実施例１における循環型飲食物搬送装置の手前側端部の内部構造を示した平面図である。
【図６】同じくその内部構造を拡大正面図である
【図７】図６におけるＡ−Ａ断面図である。
【図８】実施例１における循環型飲食物搬送装置の先端側端部の内部構造を示した側面図である。
【図９】実施例１における循環型飲食物搬送装置１の途中部分の内部構造を正面断面図である。
【図１０】受台とその支持構造を示した側面断面図である。
【図１１】同じくその分解斜視図である。
【図１２】受台の上部近傍個所を示した正面断面図である。
【符号の説明】
【００３１】  １    循環型飲食物搬送装置
５０    飲食店の店内
５１    調理室
５２    壁
５３    窓
２    受台
３Ｌ，３Ｒ    無端チェーン
４    搬送路
４Ｕ  上段
４Ｄ  下段
５    カウンタテーブル
６    側壁
Ｆ    飲食物
７    モータ
８Ｌ，８Ｒ        チェーンスプロケット
９Ｌ，９Ｒ        チェーンスプロケット
１０Ｌ，１０Ｒ    チェーンスプロケット
１１Ｌ，１１Ｒ    チェーンスプロケット
１３Ｌ，１３Ｒ    側板
１４Ｌ，１４Ｒ    ガイド棒
１５    軸
１６    チェーンスプロケット
１７    減速装置
１８    チェーンスプロケット
１９    チェーン
２０    受枠
２１    受板
２０ａ  低段部
２０ｂ  錘
２３Ｌ，２３Ｒ  ピン
２５Ｌ，２５Ｒ  カバー板
２６Ｌ，２６Ｒ  ガイド部材
２７    ケース
２８    配管
【図１】
2005103218.tif 000003
【図２】
2005103218.tif 000004
【図３】
2005103218.tif 000005
【図４】
2005103218.tif 000006
【図５】
2005103218.tif 000007
【図６】
2005103218.tif 000008
【図７】
2005103218.tif 000009
【図８】
2005103218.tif 000010
【図９】
2005103218.tif 000011
【図１０】
2005103218.tif 000012
【図１１】
2005103218.tif 000013
【図１２】
2005103218.tif 000014